【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、前記サーバの制御のもとでは、
前記電力消費量の削減高に関する情報を前記第１情報機器から取得し、取得した電力消費量の削減高に関する情報をもとに、電力消費量の削減高を顧客と管理者が分配する金額を、あらかじめ決められた分配比率に基づき算出し、
前記管理者が管理する情報機器の制御のもとでは、
前記サーバに対し、前記顧客と管理者が分配する金額を含む情報の提供を要請し、
前記サーバの制御のもとでは、
前記管理者が管理する情報機器からの要請を受け付けて、前記顧客と管理者が分配する金額を含む情報を前記管理者が管理する情報機器に提供し、
前記管理者が管理する情報機器の制御のもとでは、
前記顧客と管理者が分配する金額を含む情報を取得し、
前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする電力消費量の削減高分配方法。
【請求項２】
顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、前記サーバは、
前記電力消費量の削減高に関する情報を前記第１情報機器から取得する削減高情報取得手段と、
前記削減高情報取得手段が取得した電力消費量の削減高に関する情報をもとに、電力消費量の削減高を顧客と管理者が分配する金額を、あらかじめ決められた分配比率に基づき算出する分配金額算出手段と、
前記分配金額算出手段が算出した顧客と管理者が分配する金額を含む情報の提供要請を、前記管理者が管理する情報機器から受け付ける分配金額情報提供要請受付手段と、
前記分配金額算出手段が算出した顧客と管理者が分配する金額を含む情報を前記管理者が管理する情報機器に提供する分配金額情報提供手段を備え、
前記管理者が管理する情報機器は、
前記サーバに対し、前記分配金額算出手段が算出した顧客と管理者が分配する金額を含む情報の提供を要請する分配金額情報提供要請手段と、
前記分配金額算出手段が算出した顧客と管理者が分配する金額を含む情報を取得する分配金額情報取得手段を備えており、
前記管理者が管理する情報機器と通信ネットワークを介して接続された顧客が管理する情報機器を有し、
前記管理者が管理する情報機器は、
前記分配金額情報取得手段が取得した顧客と管理者が分配する金額を含む情報を、前記顧客が管理する情報機器に通知する分配金額情報通知手段を備えていることを特徴とする電力消費量の削減高分配システム。
【請求項３】
第１情報機器及び管理者が管理する情報機器のそれぞれに通信通信ネットワークを介して通信可能なサーバであって、
顧客の電力消費装置に接続し、前記電力消費装置が消費する電力消費量を削減制御する顧客に貸与した制御装置が削減制御した電力消費量の削減高に関する情報を、前記第１情報機器から取得する削減高情報取得手段と、
前記削減高情報取得手段が取得した電力消費量の削減高に関する情報をもとに、電力消費量の削減高を顧客と管理者が分配する金額を、あらかじめ決められた分配比率に基づき算出する分配金額算出手段と、
前記分配金額算出手段が算出した顧客と管理者が分配する金額を含む情報の提供要請を、前記管理者が管理する情報機器から受け付ける分配金額情報提供要請受付手段と、
前記分配金額算出手段が算出した顧客と管理者が分配する金額を含む情報を前記管理者が管理する情報機器に提供する分配金額情報提供手段とを備えたサーバ。
【請求項４】
第１情報機器及び管理者が管理する情報機器のそれぞれに通信通信ネットワークを介して通信可能なコンピュータを、
顧客の電力消費装置に接続し、前記電力消費装置が消費する電力消費量を削減制御する顧客に貸与した制御装置が削減制御した電力消費量の削減高に関する情報を、前記第１情報機器から取得する削減高情報取得手段と、
前記削減高情報取得手段が取得した電力消費量の削減高に関する情報をもとに、電力消費量の削減高を顧客と管理者が分配する金額を、あらかじめ決められた分配比率に基づき算出する分配金額算出手段と、
前記分配金額算出手段が算出した顧客と管理者が分配する金額を含む情報の提供要請を、前記管理者が管理する情報機器から受け付ける分配金額情報提供要請受付手段と、
前記分配金額算出手段が算出した顧客と管理者が分配する金額を含む情報を前記管理者が
管理する情報機器に提供する分配金額情報提供手段、として機能させるための電力消費量の削減高分配システムのためのプログラム。
【請求項５】
顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、前記サーバの制御のもとでは、
前記第１情報機器が取得した電力消費量の削減高に関する情報を取得し、
前記管理者が管理する情報機器の制御のもとでは、
前記サーバに対し、前記電力消費量の削減高に関する情報の提供を要請し、
前記サーバの制御のもとでは、
前記管理者が管理する情報機器からの要請を受け付けて、前記電力消費量の削減高に関する情報を前記管理者が管理する情報機器に提供し、
前記管理者が管理する情報機器の制御のもとでは、
前記電力消費量の削減高に関する情報を取得し、取得した電力消費量の削減高に関する情報をもとに、電力消費量の削減高を顧客と管理者が分配する金額をあらかじめ決められた分配比率に基づき算出し、
前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする電力消費量の削減高分配方法。
【請求項６】
顧客の電力消費装置に接続し、前記電力消費装置が消費する電力消費量を削減制御する顧客に貸与した制御装置と、
前記制御装置が削減制御した電力消費量の削減高に関する情報を取得する第1情報機器と、
前記第１情報機器と通信ネットワークを介して接続されたサーバと、
前記サーバと通信ネットワークを介して接続された管理者が管理する情報機器とを有し、前記サーバは、
前記電力消費量の削減高に関する情報を前記第１情報機器から取得する削減高情報取得手段と、
前記削減高情報取得手段が取得した電力消費量の削減高に関する情報の提供要請を、前記管理者が管理する情報機器から受け付ける削減高情報提供要請受付手段と、
前記削減高情報取得手段が取得した電力消費量の削減高に関する情報を、前記管理者が管理する情報機器に提供する削減高情報提供手段を備え、
前記管理者が管理する情報機器は、
前記サーバに対し、前記削減高情報取得手段が取得した電力消費量の削減高に関する情報の提供を要請する削減高情報提供要請手段と、
前記電力消費量の削減高に関する情報を前記サーバから取得する削減高情報取得手段と、前記削減高情報取得手段が取得した電力消費量の削減高に関する情報をもとに、電力消費量の削減高を顧客と管理者が分配する金額を、あらかじめ決められた分配比率に基づき算出する分配金額算出手段を備えており、
前記管理者が管理する情報機器と通信ネットワークを介して接続された顧客が管理する情報機器を有し、
前記管理者が管理する情報機器は、
前記分配金額算出手段が算出した顧客と管理者が分配する金額を含む情報を、前記顧客が
管理する情報機器に通知する分配金額情報通知手段を備えていることを特徴とする電力消費量の削減高分配システム。
【請求項７】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、前記サーバの制御のもとでは、
前記電力消費量の積算値に関する情報を前記第１情報機器から取得し、取得した電力消費量の積算値に関する情報をもとに電力消費量の削減高を決定し、決定した電力消費量の削減高を顧客と管理者が分配する金額を、あらかじめ決められた分配比率に基づき算出し、前記管理者が管理する情報機器の制御のもとでは、
前記サーバに対し、前記算出した顧客と管理者が分配する金額を含む情報の提供を要請し、
前記サーバの制御のもとでは、
前記管理者が管理する情報機器からの要請を受け付けて、前記顧客と管理者が分配する金額を含む情報を前記管理者が管理する情報機器に提供し、
前記管理者が管理する情報機器の制御のもとでは、
前記顧客と管理者が分配する金額を含む情報を取得し、
前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする電力消費量の削減高分配方法。
【請求項８】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、前記サーバは、
前記電力消費量の積算値に関する情報を前記第１情報機器から取得する積算値情報取得手段と、
前記積算値情報取得手段が取得した電力消費量の積算値に関する情報をもとに電力消費量の削減高を決定する削減高決定手段と、
前記削減高決定手段が決定した電力消費量の削減高を顧客と管理者が分配する金額を、あらかじめ決められた分配比率に基づき算出する分配金額算出手段と、
前記分配金額算出手段が算出した顧客と管理者が分配する金額を含む情報の提供要請を、前記管理者が管理する情報機器から受け付ける分配金額情報提供要請受付手段と、
前記分配金額算出手段が算出した顧客と管理者が分配する金額を含む情報を前記管理者が管理する情報機器に提供する分配金額情報提供手段を備え、
前記管理者が管理する情報機器は、
前記サーバに対し、前記分配金額算出手段が算出した顧客と管理者が分配する金額を含む情報の提供を要請する分配金額情報提供要請手段と、
前記分配金額算出手段が算出した顧客と管理者が分配する金額を含む情報を取得する分配金額情報取得手段を備えており、
前記管理者が管理する情報機器と通信ネットワークを介して接続された顧客が管理する情報機器を有し、
前記管理者が管理する情報機器は、
前記分配金額情報取得手段が取得した顧客と管理者が分配する金額を含む情報を、前記顧客が管理する情報機器に通知する分配金額情報通知手段を備えていることを特徴とする電力消費量の削減高分配システム。
【請求項９】
第１情報機器及び管理者が管理する情報機器のそれぞれに通信通信ネットワークを介して通信可能なサーバであって、
前記第１情報機器が配電盤に設置した積算電力計から取得した、顧客に貸与した電力消費量を削減制御する制御装置により制御された電力消費装置が消費する電力消費量の積算値に関する情報を、前記第１情報機器から取得する積算値情報取得手段と、
前記積算値情報取得手段が取得した電力消費量の積算値に関する情報をもとに電力消費量の削減高を決定する削減高決定手段と、
前記削減高決定手段が決定した電力消費量の削減高を顧客と管理者が分配する金額を、あらかじめ決められた分配比率に基づき算出する分配金額算出手段と、
前記分配金額算出手段が算出した顧客と管理者が分配する金額を含む情報の提供要請を、前記管理者が管理する情報機器から受け付ける分配金額情報提供要請受付手段と、
前記分配金額算出手段が算出した顧客と管理者が分配する金額を含む情報を前記管理者が管理する情報機器に提供する分配金額情報提供手段とを備えたサーバ。
【請求項１０】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、前記サーバの制御のもとでは、
前記第１情報機器が取得した電力消費量の積算値に関する情報を取得し、
前記管理者が管理する情報機器の制御のもとでは、
前記サーバに対し、前記電力消費量の積算値に関する情報の提供を要請し、
前記サーバの制御のもとでは、
前記管理者が管理する情報機器からの要請を受け付けて、前記電力消費量の積算値に関する情報を前記管理者が管理する情報機器に提供し、
前記管理者が管理する情報機器の制御のもとでは、
前記電力消費量の積算値に関する情報を取得し、取得した電力消費量の積算値に関する情報をもとに電力消費量の削減高を決定し、決定した電力消費量の削減高を顧客と管理者が分配する金額を、あらかじめ決められた分配比率に基づき算出し、
前記管理者が管理する情報機器と通信ネットワークを介して接続された顧客が管理する情報機器を有し、
前記管理者が管理する情報機器の制御のもとでは、
前記顧客と管理者が分配する金額を含む情報を前記顧客が管理する情報機器に通知することを特徴とする電力消費量の削減高分配方法。
【請求項１１】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、前記サーバは、
前記第１情報機器が取得した電力消費量の積算値に関する情報を取得する積算値情報取得手段と、
前記積算値情報取得手段が取得した電力消費量の積算値に関する情報の提供要請を、前記管理者が管理する情報機器から受け付ける積算値情報提供要請受付手段と、
前記積算値情報取得手段が取得した電力消費量の積算値に関する情報を前記管理者が管理する情報機器に提供する積算値情報提供手段を備え、
前記管理者が管理する情報機器は、
前記サーバに対し、前記積算値情報取得手段が取得した電力消費量の積算値に関する情報の提供を要請する積算値情報提供要請手段と、
前記電力消費量の積算値に関する情報を前記サーバから取得する積算値情報取得手段と、前記積算値情報取得手段が取得した電力消費量の積算値に関する情報をもとに電力消費量の削減高を決定する削減高決定手段と、
前記削減高決定手段が決定した電力消費量の削減高を顧客と管理者が分配する金額を、あらかじめ決められた分配比率に基づき算出する分配金額算出手段を備えていることを特徴とする電力消費量の削減高分配システム。
【請求項１２】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、前記サーバの制御のもとでは、
前記第１情報機器が取得した電力消費量の積算値に関する情報を取得し、取得した電力消費量の積算値に関する情報をもとに電力消費量の削減高を決定し、
前記管理者が管理する情報機器の制御のもとでは、
前記サーバに対し、前記電力消費量の削減高に関する情報の提供を要請し、
前記サーバの制御のもとでは、
前記管理者が管理する情報機器からの要請を受け付けて、前記決定した電力消費量の削減高に関する情報を前記管理者が管理する情報機器に提供し、
前記管理者が管理する情報機器の制御のもとでは、
前記電力消費量の削減高に関する情報を取得し、取得した電力消費量の削減高を顧客と管理者が分配する金額を、あらかじめ決められた分配比率に基づき算出し、
前記管理者が管理する情報機器と通信ネットワークを介して接続された顧客が管理する情報機器を有し、
前記管理者が管理する情報機器の制御のもとでは、
前記算出した顧客と管理者が分配する金額を含む情報を前記顧客が管理する情報機器に通知することを特徴とする電力消費量の削減高分配方法。
【請求項１３】
顧客に貸与した電力消費量を削減制御する制御装置により制御された電力消費装置が消費する電力消費量の積算値に関する情報を、配電盤に設置した積算電力計から取得する第１情報機器と、
前記第１情報機器と通信ネットワークを介して接続されたサーバと、
前記サーバと通信ネットワークを介して接続された管理者が管理する情報機器とを有し、前記サーバは、
前記第１情報機器が取得した電力消費量の積算値に関する情報を取得する積算値情報取得手段と、
前記積算値情報取得手段が取得した電力消費量の積算値に関する情報をもとに電力消費量の削減高を決定する削減高決定手段と、
前記削減高決定手段が決定した電力消費量の削減高に関する情報の提供要請を、前記管理者が管理する情報機器から受け付ける削減高情報提供要請受付手段と、
前記削減高決定手段が決定した電力消費量の削減高に関する情報を前記管理者が管理する情報機器に提供する削減高情報提供手段を備え、
前記管理者が管理する情報機器は、
前記サーバに対し、前記削減高決定手段が決定した電力消費量の削減高に関する情報の提
供を要請する削減高情報提供要請手段と、
前記電力消費量の削減高に関する情報を前記サーバから取得する削減高情報取得手段と、前記削減高情報取得手段が取得した電力消費量の削減高を顧客と管理者が分配する金額を、あらかじめ決められた分配比率に基づき算出する分配金額算出手段を備えており、
前記管理者が管理する情報機器と通信ネットワークを介して接続された顧客が管理する情報機器を有し、
前記管理者が管理する情報機器は、
前記分配金額算出手段が算出した顧客と管理者が分配する金額を含む情報を、前記顧客が管理する情報機器に通知する分配金額情報通知手段を備えていることを特徴とする電力消費量の削減高分配システム。